(57)【要約】【課題】遊技客がより快適に喫煙可能な遊技機島を提供する。【解決手段】遊技機島の内部に、水平方向に沿って延びる廃棄物搬送経路を設ける。また、遊技機島は、廃棄物処理装置を備えた構成とし、廃棄物搬送経路に落下した廃棄物を受け止めることが可能であり、受け止めた廃棄物を所定位置まで搬送可能なように形成する。さらに、遊技機島には、廃棄物搬送経路と連通する収納空間と、灰皿部２７とを設ける。この灰皿部２７は、収容空間に収納した状態へ移行すると、灰皿部２７の底部分に取り付けた閉塞板６１が開放された状態となり、廃棄物が下方へと抜け落ちるものとする。【選択図】図３
2015066001.tif 000002
【特許請求の範囲】
【請求項１】
１又は複数の遊技機と、廃棄物回収装置を備える遊技機島であって、
内部に水平方向に沿って延びる廃棄物搬送経路を有しており、前記廃棄物回収装置は、前記廃棄物搬送経路に落下した廃棄物を受け止め、受け止めた廃棄物を所定位置まで搬送可能なものであり、
前記廃棄物搬送経路と連通する収納空間と、灰皿部とを有し、
前記灰皿部は、前記収納空間から外部へ突出する使用時姿勢と、前記収納空間に収納される収納時姿勢とを切替え可能であり、底部に開閉可能に取り付けられた閉塞板が設けられ、
前記使用時姿勢では、前記閉塞板が閉状態となることで前記灰皿部の内部に廃棄物を収容可能となり、
前記収納時姿勢においては、前記閉塞板が開状態となることで、前記灰皿部の内部から廃棄物が下方へと抜け落ちる状態となることを特徴とする遊技機島。
【請求項２】
前記収納空間と連通する突出孔を有し、
前記灰皿部は、前記突出孔の外端に位置する突出口から突出させることで前記収納時姿勢から前記使用時姿勢へ移行するものであり、外力が加わらない自然状態においては、前記閉塞板が開状態となるものであって、
前記使用時姿勢においては、前記突出孔の内周部分で前記閉塞板を支持することにより、前記閉塞板に閉状態を維持させることを特徴とする請求項１に記載の遊技機島。
【請求項３】
遊技球を収容する収容箱を載置可能な膳板、又は、２つの遊技機の間に設けられて外壁面を形成する台間壁形成部材の少なくともいずれかが設けられており、
前記突出孔は、前記膳板又は前記台間壁形成部材の少なくとも一方に設けられることを特徴とする請求項２に記載の遊技機島。
【請求項４】
前記灰皿部は、前記使用時姿勢となった状態、又は、前記収納時姿勢から前記使用時姿勢へと移行している状態において、少なくとも突出端部分が水平回動可能な状態に取り付けられていることを特徴とする請求項１乃至３のいずれかに記載の遊技機島。
【発明の詳細な説明】
【技術分野】
【０００１】
本発明は、ぱちんこ機やスロット機等の遊技機を複数台配して形成される遊技機島に関する。
【背景技術】
【０００２】
ぱちんこ機やスロット機等の遊技機が設置された遊技場では、一般的に、複数の遊技機が群を形成した遊技機島を備えた構成とされている。この遊技機島では、各遊技機が列を成すように配されており、遊技客はそれぞれの遊技機の正面に座って遊技する。
【０００３】
遊技客には、遊技中に喫煙する者もおり、遊技機島には喫煙のための構造を備えたものがある。例えば、特許文献１には、灰皿と膳板を一体に形成した遊技機島が開示されている。
【０００４】
詳細に説明すると、特許文献１の遊技機島は、遊技機の下部から外側へ向かって突出する長方形平板状の膳板を備えており、この膳板の上面に溝部を形成している。つまり、膳板の上面は、突出方向先端部よりの部分と、基端部よりの部分とが周囲よりも高くなっており、その間に形成される溝部が周囲よりも低くなっている。そして、この溝部に、煙草の灰等を回収するための廃棄物収納部が設けられている。
【０００５】
このことから、膳板の周囲よりも高くなった部分に遊技球箱を載置すると、遊技球箱を横方向にスライド移動させたとき、廃棄物収納部が遊技球箱の移動を妨げない構造となっている。すなわち、特許文献１に開示されている遊技機島の膳板は、遊技球箱を載置する載置面を廃棄物収納部よりも高い位置とすることにより、遊技球箱を持ち上げたりすることなく、円滑に移動させることが可能となっている。
【０００６】
また、特許文献１の遊技機島では、遊技客が廃棄物収納部に煙草の吸殻を投入すると、遊技機島の内部に形成された回収装置により、吸殻が回収箱まで自動的に移送される構造となっている。このため、単純に膳板上に灰皿を設置した場合のように、遊技場店員が吸い殻の溜まった灰皿と新しい灰皿を交換する必要がない。このため、遊技場店員の負担を軽減することができる。
【先行技術文献】
【特許文献】
【０００７】
【特許文献１】特開２００７−３２５６４３号公報
【発明の概要】
【発明が解決しようとする課題】
【０００８】
しかしながら、特許文献１に開示されている遊技機島の構造は、遊技客により快適に喫煙してもらうという観点から、改良の余地がある。
【０００９】
例えば、特許文献１に開示されている遊技機島では、廃棄物収納部が膳板に固定されており、廃棄物を投入する投入口もまた固定されている。そのため、遊技客は、煙草の灰を捨てる際に投入口まで手を伸ばして灰を捨てる必要がある。このとき、遊技客は遊技をしながら手を伸ばすこととなるが、この際に遊技客が無理な体勢をとらなければならない場合があり、その結果、遊技客が快適に喫煙できないという問題があった。
【００１０】
そこで本発明は、上記した従来技術の問題に鑑み、遊技客がより快適に喫煙可能な遊技機島を提供することを課題とする。
【課題を解決するための手段】
【００１１】
上記課題を解決するための請求項１に記載の発明は、１又は複数の遊技機と、廃棄物回収装置を備える遊技機島であって、内部に水平方向に沿って延びる廃棄物搬送経路を有しており、前記廃棄物回収装置は、前記廃棄物搬送経路に落下した廃棄物を受け止め、受け止めた廃棄物を所定位置まで搬送可能なものであり、前記廃棄物搬送経路と連通する収納空間と、灰皿部とを有し、前記灰皿部は、前記収納空間から外部へ突出する使用時姿勢と、前記収納空間に収納される収納時姿勢とを切替え可能であり、底部に開閉可能に取り付けられた閉塞板が設けられ、前記使用時姿勢では、前記閉塞板が閉状態となることで前記灰皿部の内部に廃棄物を収容可能となり、前記収納時姿勢においては、前記閉塞板が開状態となることで、前記灰皿部の内部から廃棄物が下方へと抜け落ちる状態となることを特徴とする遊技機島である。
【００１２】
本発明の遊技機島では、収納空間から外部へ突出する使用時姿勢と、収納空間に収納される収納時姿勢とを切替え可能となっている。そして、灰皿部が収納時姿勢をとることが可能であるため、遊技客が喫煙をしないとき、灰皿部が遊技客の遊技に係る所作の邪魔となることがない。このことから、灰皿部を膳板に限らず様々な場所に設けることが可能となる。つまり、本発明の遊技機島によると、灰皿部の設置位置の自由度を向上させることができるので、遊技客が利用しやすい位置に灰皿部を設けることが可能となり、遊技客がより快適に喫煙することができる。
【００１３】
加えて、灰皿部の底部分に取り付けられた閉塞板は、使用時姿勢では閉状態となり、収納時姿勢では開状態となる。そのため、灰皿部を収納時姿勢へと移行するだけで、灰皿部の底が抜けた状態となり、灰皿部に溜まった吸殻等の廃棄物が収納空間に投下されることとなる。すなわち、吸殻等の廃棄物を溜めておくために広く形成される灰皿部の底面部分を、廃棄物の投下口とすることができる。このことから、廃棄物を投下をするとき、目詰まりし難い構成とするこができる。つまり、遊技場の作業員が目詰まりを解消するための作業を実施しなくてもよい（又は殆ど実施しなくてもよい）ので、作業員の手間を軽減できるという利点もある。
【００１４】
請求項２に記載の発明は、前記収納空間と連通する突出孔を有し、前記灰皿部は、前記突出孔の外端に位置する突出口から突出させることで前記収納時姿勢から前記使用時姿勢へ移行するものであり、外力が加わらない自然状態においては、前記閉塞板が開状態となるものであって、前記使用時姿勢においては、前記突出孔の内周部分で前記閉塞板を支持することにより、前記閉塞板に閉状態を維持させることを特徴とする請求項１に記載の遊技機島である。
【００１５】
かかる構成によると、安価且つ容易に閉塞板の開閉構造を構築できる。
【００１６】
本発明は、遊技球を収容する収容箱を載置可能な膳板、又は、２つの遊技機の間に設けられて外壁面を形成する台間壁形成部材の少なくともいずれかが設けられており、前記突出孔は、前記膳板又は前記台間壁形成部材の少なくとも一方に設けられることが好ましい（請求項３）。
【００１７】
請求項４に記載の発明は、前記灰皿部は、前記使用時姿勢となった状態、又は、前記収納時姿勢から前記使用時姿勢へと移行している状態において、少なくとも突出端部分が水平回動可能な状態に取り付けられていることを特徴とする請求項１乃至３のいずれかに記載の遊技機島である。
【００１８】
かかる構成によると、灰皿部の少なくとも突出端部分を遊技客に近づく方向、又は、遊技客から離れる方向へと移動させることが可能となる。そのため、灰皿部をより利用し易い位置へと移動可能であるので、遊技客は、より快適に喫煙が可能となる。
【発明の効果】
【００１９】
本発明によると、遊技客がより快適に喫煙可能となり、また、作業員の手間を軽減できるという副次的な効果もある。
【図面の簡単な説明】
【００２０】
【図１】本発明の実施形態に係る遊技機島を示す斜視図である。
【図２】図１の遊技機島を示す側面図であり、内部に設けられた廃棄物処理装置を透過して示す。
【図３】図１の灰皿部近傍を拡大して示す斜視図であり、灰皿部が台間板から引き出された状態を示す。
【図４】図１の灰皿部近傍を拡大して示す斜視図であり、灰皿部が台間板の内部に位置する空間に収納された状態を示す。
【図５】図３の灰皿部における本体部を示す斜視図であり、（ａ）は閉塞板が閉となった状態を示し、（ｂ）は閉塞板が開となった状態を示す。
【図６】図３の灰皿部が水平回動する様子を示す説明図である。
【図７】図３の灰皿部が使用時姿勢から収納時姿勢へと移行する様子を示す説明図であり、（ａ）〜（ｃ）の順に移行していく。
【図８】図１とは異なる遊技機島を示す斜視図であり、長手方向における端部近傍のみを示す。
【図９】図８の灰皿ユニットを示す斜視図であり、内部を透過して示す。
【発明を実施するための形態】
【００２１】
以下に、本発明の実施形態に係る遊技機島１について詳細に説明するが、本発明はこれらの例に限定されるものではない。また、以下の説明において、上下左右の位置関係については特に断りのない限り通常の設置状態を基準として説明する。
【００２２】
遊技機島１は、図１で示されるように、弾球遊技機又は回胴式遊技機等の遊技機２や、玉貸機やメダル貸機等の遊技媒体貸出機３を配するための遊技機設置部４を備えている。つまり、遊技機島１には、遊技機２や、遊技機２に関連する機器を固定するための遊技機設置部４が形成されている。この遊技機設置部４は複数設けられており、遊技機島１の長手方向に沿って間隔を空けて並列している。
この遊技機島１は、図示しない骨格部材に対し、天板１０、妻板１１、幕板１２、ランプ板１３、台間板１４（台間壁形成部材）、膳板１５、腰板１６、幅木１７等の外表面を形成する部材を取り付けて形成されている。
【００２３】
天板１０は、遊技機島１の天井壁を形成する部材である。
【００２４】
妻板１１は、遊技機島１の側面壁を形成する部材であり、遊技機島１の長手方向における両端部にそれぞれ別途取り付けられている。つまり、妻板１１は、遊技機島１の側面壁のうち、長手方向に対して直交（又は略直交）する側面壁を形成する部材である。
【００２５】
幕板１２は、遊技機島１の側面壁のうち、短手方向に対して直交（又は略直交）する側面壁の一部を形成する略長方形平板状の部材である。この幕板１２は、天板１０の縁部分と連続しており、遊技機設置部４の上側部分に位置している。すなわち、幕板１２は、遊技機設置部４が設けられる側面壁の上端近傍を形成する部材である。
【００２６】
ランプ板１３は、遊技機島１の側面壁のうち、短手方向に対して直交（又は略直交）する側面壁の一部を形成するものであり、上端からやや下方側に離れた部分を形成する略長方形平板状の部材である。このランプ板１３は、幕板１２の下端部分と連続しており、幕板１２の下方部分の側面壁を形成している。そして、ランプ板１３には、遊技情報表示装置２５を取り付けるためのランプ取付部２６が設けられている。このランプ取付部２６は、複数設けられており、ランプ板１３の長手方向に沿って間隔を空けて並列した状態となっている。
【００２７】
遊技情報表示装置２５は、一般的に「データランプ」や「コールランプ」と称される装置であり、対応する遊技台の稼働状況に係る情報を表示可能な装置となっている。また、この遊技情報表示装置２５には、遊技客が遊技場従業員を呼び出す際に押下する呼び出しボタンが一体に形成されている。そして、呼び出しボタンが押下されると、遊技情報表示装置２５のランプ部（図示しない）が点灯、点滅を実施すると共に、妻板１１に取り付けられたランプ装置（図示しない）が点灯、点滅する構造となっている。
【００２８】
台間板１４は、隣接する遊技機設置部４の間に位置する側面壁を形成する部材である。別言すると、台間板１４は、対となる遊技機２と遊技媒体貸出機３を１つの機器群としたとき、間隔を空けて配される機器群の間に位置する部材となっている。すなわち、この台間板１４もまた、遊技機島１の長手方向に間隔を空けて配された状態となっている。
この台間板１４には、外部へ引出した状態で使用する灰皿部２７が設けられている。なお、この灰皿部２７についての具体的な説明は、後述する。
【００２９】
膳板１５は、平面視した形状が略四角形状となる平板状の部材であり、遊技機設置部４の下方部分から外側へ張り出した状態となっている。より詳細には、膳板１５は、遊技客の着座側（図１において椅子のある側）へ突出しつつ、遊技機島１の長手方向に沿って延設されるものであり、遊技機島１の長手方向の一端部から他端部まで延びている。この膳板１５は、大別して遊技機島１の内部側に位置する部分と、遊技機島１の外部に露出した部分とに区分されるものである。そして、内部側に位置する部分は、遊技機２を載置するための土台として機能し、外部側に位置する部分は、遊技媒体を収容する収容箱（図示せず）等を載置するための載置棚として機能する。
【００３０】
腰板１６は、遊技機２の設置位置より低い位置の壁面を形成する略長方形平板状の部材である。すなわち、腰板１６は、遊技機島１の側面壁のうち、短手方向に対して直交（又は略直交）する側面壁の一部であって、遊技機設置部４の下方側部分を形成する部材である。
【００３１】
幅木１７は、腰板１６のより低い位置の壁面を形成する長尺板状の部材である。すなわち、幅木１７は、遊技機島１の側面壁のうち、短手方向に対して直交（又は略直交）する側面壁の一部であって、遊技機設置部４が設けられる側面壁の下端近傍を形成する部材である。この幅木１７は、壁材を保護するための部材であり、遊技機島１の床に接する部分に設けることで、壁材に遊技客の靴等が直接接触し難い構造としている。このことにより、靴先等の接触に起因する壁材の破損を防止している。
【００３２】
続いて、遊技機島１の内部構造について説明する。
【００３３】
遊技機島１の内部には、図２で示されるように、廃棄物の回収経路として、上下方向に沿って延びる落下経路３３と、遊技機島１の長手方向に沿って延びる廃棄物搬送経路３４と、貯留桶設置部３５とが設けられている。
【００３４】
落下経路３３は、台間板１４の裏面側に形成された空間であり、鉛直方向に延びる経路を形成している。この落下経路３３は、少なくとも下端部分が開放された状態となっており、下方側に位置する廃棄物搬送経路３４と連通した状態となっている。
なお、本実施形態では、複数の落下経路３３が設けられており、これらは、それぞれ遊技機２の並列方向に沿って間隔を空けて設けられている。このことから、落下経路３３と廃棄物搬送経路３４の合流地点もまた、間隔を空けて並列配置されることとなる。
【００３５】
廃棄物搬送経路３４は、膳板１５の下方側に位置する空間であり、遊技機２の並列方向に沿って延びている。別言すると、廃棄物搬送経路３４は、水平方向に延びる経路となっている。
【００３６】
貯留桶設置部３５は、廃棄物搬送経路３４の長手方向における片側端部近傍であって、廃棄物搬送経路３４よりも下方側に位置する空間となっている。この貯留桶設置部３５は、上方に位置する廃棄物搬送経路３４の長手方向における端部と連通した状態となっている。
【００３７】
さらに、遊技機島１の内部には、煙草の吸殻等の廃棄物を自動的に集めるための廃棄物回収装置４０が設けられている。
【００３８】
廃棄物回収装置４０は、廃棄物を所定位置まで搬送する回収装置４１と、廃棄物を貯留する貯留桶４２とを備えている。
【００３９】
回収装置４１は、廃棄物搬送経路３４に配設されたコンベア装置であり、公知のコンベア装置と同様のものを採用することができる。本実施形態では、図示しないモータの動力によって回転駆動する駆動ローラ４５と、ローラ軸に対して回転自在な状態で支持されている従動ローラ４６と、無端ベルト４７とを備えている。
【００４０】
無端ベルト４７は、難燃性あるいは不燃性の材料（又は原料）を帯状、且つ無端環状となるように形成した部材であり、駆動ローラ４５と従動ローラ４６に張架された状態となっている。また、この無端ベルト４７には、周方向に間隔を空けて立板部材（図示しない）が取り付けられている。この立板部材（図示せず）は、無端ベルト４７の外周面に対して略垂直に交わるように立設されている。
【００４１】
貯留桶４２は、集められた廃棄物を貯めておくための容器であり、貯留桶設置部３５に配設されている。そして、この貯留桶４２は、内部に消化用水が貯留された状態となっている。このため、仮に火が完全に消えてない煙草の吸殻が内部に投入されても、この吸殻の火を確実に消火できる。
【００４２】
続いて、廃棄物回収装置４０による廃棄物の回収動作について説明する。
【００４３】
駆動ローラ４５を回転駆動すると、無端ベルト４７が周回駆動することとなる。ここで、無端ベルト４７のうち、駆動ローラ４５、従動ローラ４６の上端側で水平移動する部分と、下端近傍で水平移動する部分とでは、互いに背反する方向へと移動する。より詳細には、無端ベルト４７の上側部分は、貯留桶４２に近づく方向へと移動し、無端ベルト４７の下側部分は、貯留桶４２から離れる方向へ移動する。
【００４４】
そして、無端ベルト４７が周回駆動すると、無端ベルト４７と一体に取り付けられた立板部材（図示しない）もまた、廃棄物搬送経路３４の内部を周回移動することとなる。すなわち、無端ベルト４７に取り付けられた立板部材（図示しない）は、無端ベルト４７の上側で移動する際には、貯留桶４２に近づく方向へ移動する。対して、無端ベルト４７の下側で移動する際には、貯留桶４２から離れる方向へ移動する。
【００４５】
このことから、煙草の吸殻等の廃棄物が灰皿部２７から落下経路３３に投入され、廃棄物搬送経路３４に落下すると、無端ベルト４７上によって受け止められることとなる。そして、無端ベルト４７に取り付けられた立板部材（図示しない）によって押動移送されることとなる。つまり、落下した廃棄物は、無端ベルト４７に載置されたまま貯留桶４２に近づく方向へと移動し、廃棄物搬送経路３４の長手方向の端部から下方へと落下する。このことにより、廃棄物が貯留桶４２の内部へ投入される。
なお、無端ベルト４７に取り付けられた立板部材（図示せず）は、廃棄物搬送経路３４の一端側に配設された貯留桶４２まで廃棄物を移送して落下させた後、進行方向を転換し、廃棄物搬送経路３４の下側に位置する空間を復路として通過することとなる。そして、廃棄物搬送経路３４の他端側に到着後、再び反転して貯留桶４２へ向かう方向へ移動されることとなる。
【００４６】
上記したように、本実施形態では、遊技機２及び遊技機設置部４と隣接する位置に配された台間板１４に、廃棄物の投入口となる灰皿部２７が設けられている。本実施形態の特徴的な部分である灰皿部２７につき、以下で詳細に説明する。
【００４７】
本実施形態の灰皿部２７は、図３、図４で示されるように、台間板１４に形成された取付用孔５０（突出孔）に対して、出入可能な状態で取り付けられている。すなわち、灰皿部２７が台間板１４から外側へ引き出された使用時姿勢（図３参照）と、灰皿部２７が台間板１４の内側に収納された収納時姿勢（図４参照）とを切替可能となっている。
【００４８】
取付用孔５０は、開口形状が略長方形であり、台間板１４を厚さ方向に貫通する貫通孔となっている。すなわち、取付用孔５０は、外部と台間板１４の内側に形成される空間とを連通する孔であり、換言すると、外部と落下経路３３（図２参照）とを連通する孔である。
【００４９】
灰皿部２７は、図３で示されるように、前端部分に立設状態で固定される化粧板部５５と、上方が開放された箱体である本体部５６とが一体に形成されている。
【００５０】
化粧板部５５は、略長方形平板状の部材であり、直立した姿勢となっている。また、この化粧板部５５の前面には、取っ手として機能する凹部５８が設けられている。この凹部５８は、周囲よりも浅く窪んだ部分であり、後方へ向かって凹んだ状態となっている。
【００５１】
本体部５６は、図５で示されるように、四角環状をなす側壁部分を形成する側壁形成部６０と、側壁形成部６０の下方側部分を覆うことで底部分を形成する閉塞板６１とを備えている。
【００５２】
側壁形成部６０は、各々が略長方形板状であり、直立した姿勢をとる前側壁部６５、右側壁部６６、左側壁部６７、後側壁部６８によって構成されている。つまり、これら前側壁部６５、右側壁部６６、左側壁部６７、後側壁部６８が、平面視した形状が略「ロ」字状となるように連接されることで、側壁形成部６０が形成されている。
【００５３】
本体部５６には、内部空間の前端側に位置する部分、すなわち、前側壁部６５の後端近傍に位置する部分に、煙草を押し付けて消火するための火消部７０が設けられている。
【００５４】
この火消部７０は、左右方向に所定の間隔を空けて並列する複数の板状体によって構成されており、各々の板状体は、前側壁部６５と一体に形成されている。より詳細には、各々の板状体は、いずれも前側壁部６５から本体部５６の内方へ突出し、高さ方向に沿って延びた状態となっている。
【００５５】
側壁形成部６０の後側壁部６８には、前側壁部６５、右側壁部６６、左側壁部６７の上端より上方に突出する突出部７２が形成されている。つまり、側壁形成部６０は、上面の一部が他の部分よりも上方へ突出した状態となっており、より詳細には、後側壁部６８の上面が前側壁部６５、右側壁部６６、左側壁部６７の上面よりも上方へ突出している。
【００５６】
閉塞板６１は、前側壁部６５の下端部分に枢支されており、前端部分を軸として回動可能となっている。すなわち、閉塞板６１と前側壁部６５とは、それぞれに別途設けられた対となる凸部と凹部（図示せず）を係合させることにより、閉塞板６１が前側壁部６５に対して回動可能な状態で取り付けられている。この閉塞板６１は、側壁形成部６０の下方開放部分を閉塞するための回動式の蓋として機能するものであり、側壁形成部６０の下方開放部分を閉塞した状態では、本体部５６の底部分を形成する。
【００５７】
つまり、閉塞板６１の後端部分が前端部分を回動支点として回動することにより、閉状態（図５（ａ）参照）から開状態（図５（ｂ）参照）へと移行する。別言すると、閉塞板６１の後端部分が下方側へと移動することにより、閉塞板６１の上面縁側部分と、右側壁部６６、左側壁部６７、後側壁部６８の下端面とが接触した状態から、離間した状態へと移行する。閉塞板６１が開状態へと移行すると、本体部５６の内部空間における下方部分が開放された状態となる。
【００５８】
続いて、灰皿部２７の取付構造及び動作について、詳細に説明する。
【００５９】
灰皿部２７は、遊技客が手動で引き出すことによって収納時姿勢（図４参照）から使用時姿勢（図３参照）へと移行し、遊技客が手動で押し入れることによって使用時姿勢から収納時姿勢へ移行する。
【００６０】
ここで、図３で示されるように、取付用孔５０の幅方向（左右方向）の長さＬ１は、本体部５６の幅方向の長さＬ２より長くなっている。つまり、灰皿部２７を前方側へ引き出して収納時姿勢から使用時姿勢へ移行させたとき、本体部５６の両側端のそれぞれと取付用孔５０の内周面の間には、隙間が形成された状態となる。
【００６１】
このことから、図６で示されるように、灰皿部２７が使用時姿勢であるとき、前端部分を右側又は左側に寄せるようにスライド移動させることで、灰皿部２７の突出方向を変更することが可能となっている。別言すると、灰皿部２７は、突出端部分を水平回動させることによって引出方向を可変可能となっている。
【００６２】
つまり、灰皿部２７を前方へ突出させた後に前端部分を側方へ移動させる、又は、前端部分を前方へ突出させつつ側方へと移動させることにより、灰皿部２７が取付用孔５０から斜め前方へ突出した状態となる。より詳細には、灰皿部２７の前端部分を右側へ引き寄せると、右斜め前へと突出した状態となり、左側へ引き寄せると、左斜め前へと突出した状態となる。
このことにより、灰皿部２７の少なくとも前端側の部分を遊技客に近接する方向、又は離反する方向へと移動させることが可能となり、灰皿部２７を遊技客の使用し易い位置へ移動させることができる。したがって、遊技客は、無理な姿勢で灰皿に灰を落としたりする必要がなく、快適に喫煙できる。
【００６３】
さらに、本実施形態では、灰皿部２７を使用時姿勢から収納時姿勢へ移行するだけで、灰皿部２７の内部に溜まった煙草の吸殻等の廃棄物を処理することができる。
【００６４】
具体的に説明すると、灰皿部２７が使用時姿勢である場合には、図３で示されるように、閉塞板６１の下面うちの一部が取付用孔５０の内周面に当接しており、閉塞板６１の下方側への移動が阻止される状態となっている。このため、閉塞板６１の閉状態が維持されることとなる。つまり、灰皿部２７の内部空間に廃棄物を貯留可能な状態が維持される。
【００６５】
ここで、図７で示されるように、使用時姿勢から収納時姿勢へ移行した場合について考える。使用時姿勢である場合（図７（ａ）参照）だけでなく、使用時姿勢から収納時姿勢へ移行する途中である場合（図７（ｂ）参照）でも、閉塞板６１の下面の少なくとも一部が取付用孔５０の内周面に当接することとなる。そのため、上記したように、取付用孔５０の内周面が閉塞板６１の移動を阻止するので、閉塞板６１の閉状態が維持される。
【００６６】
これに対して、収納時姿勢である場合（図７（ｃ）参照）には、閉塞板６１が台間板１４よりも後方に位置することとなる。この場合、閉塞板６１の下方側は開かれた空間となっている。すなわち、閉塞板６１の下方側には、取付用孔５０の内周面のような、閉塞板６１の回動を阻止するための障害物として機能する部材が存在しない。このため、閉塞板６１が開状態へ移行し、灰皿部２７の内部空間では下方が開放された状態となる。
【００６７】
これらのことから、遊技客が灰皿部２７を使用している状態や、灰皿部２７を台間板１４の内部へ収納しようとしている状態、さらには、灰皿部２７を台間板１４の内部から引き出そうとしている状態では、閉塞板６１の閉状態が維持されることとなる。つまり、灰皿部２７の使用時や、灰皿部２７の移動時においては、灰皿部２７の底部分が閉塞された状態であるため、内部に収容された廃棄物が底部分から落下することがない。
【００６８】
これに対して、灰皿部２７が台間板１４の内側に収納された状態では、閉塞板６１が開状態となるので、灰皿部２７の底部分が開放された状態となる。そのため、灰皿部２７の内部に収容された廃棄物は、底部分から落下することとなる。
したがって、灰皿部２７の内部に廃棄物が貯留された状態で、使用時姿勢から収納時姿勢へと移行すると、灰皿部２７に貯留された廃棄物が下方へ落下することとなる。より詳細には、台間板１４の裏面側に位置する落下経路３３を落下していくこととなる。そして、廃棄物は、上記した場合と同様に、落下経路３３を経て廃棄物搬送経路３４へ到達し、廃棄物回収装置４０によって処理されることとなる（図２参照）。
【００６９】
ところで、本実施形態では、図４で示されるように、灰皿部２７の前端部分を形成する化粧板部５５の幅及び高さが、取付用孔５０の開口部分の幅及び高さと略同一となっている。そのため、化粧板部５５が取付用孔５０の内側に略丁度収まるようになっている。そして、収納時姿勢においては、化粧板部５５の前面と台間板１４の前面とが略同一平面を形成する。
このことから、上記したように、灰皿部２７を水平回動可能とした場合（図６参照）、延いては、本体部５６の両側端のそれぞれと取付用孔５０の内周面の間に隙間を形成した場合であっても（図３参照）、遊技機島１の意匠性を損なうことがない。すなわち、本実施形態の灰皿部２７は、収納時においてあたかも壁面と一体となるように形成されており、遊技機島１の台間に位置する側壁面として一体的な外観をなすので、遊技機島１の意匠性を損なうことがない。
【００７０】
さらに、灰皿部２７が収納時姿勢において台間板１４から外側に突出していないことから、灰皿部２７を使用しない場合において、灰皿部２７が遊技客の邪魔になるということがない。
すなわち、遊技客が喫煙しないにもかかわらず、遊技客と近接する位置に灰皿部２７が位置していると、遊技媒体貸出機３を操作するとき等に灰皿部２７が邪魔になってしまう可能性がある。これに対し、本実施形態では、灰皿部２７を使用するときにだけ、使用しやすい位置に引き出して使用できるので、灰皿部２７が遊技客の遊技に関する所作を邪魔しない。
【００７１】
さらにまた、本実施形態の灰皿部２７の後端側には、上記したように、突出部７２が設けられている（図５参照）。このことから、収納時姿勢となった状態から、灰皿部２７を引き出していくと、図７（ａ）で示されるように、突出部７２の前面が台間板１４の裏面に接触することとなる。このことから、灰皿部２７を引き出す際、灰皿部２７が必要以上に前方へ移動してしまうことがなく、灰皿部２７の取付用孔５０からの脱落を防止できる。
【００７２】
上記した実施形態では、灰皿部２７を一体に設けた台間板１４について示したが、本発明はこれに限るものではない。灰皿部は、遊技機島１の側壁面を形成する他の部分に形成してもよく、膳板１５に形成してもよい。さらには、灰皿部を遊技機島に対して着脱可能な構成としてもよい。このような構造の実施形態につき、以下で図面を参照しつつ詳細に説明する。なお、上記した実施形態と同様の部分については、同じ符号を付して説明を省略する。
【００７３】
本実施形態の遊技機島１０１には、公知の廃棄物回収装置１３０が取り付けられている。詳細に説明すると、膳板１１５の下面には、膳板１１５の長手方向に沿って延びる樋部（図示しない）が設けられている。そして、樋部（図示しない）の内部では、廃棄物を押動移送するための立板状部材（図示しない）が周回している。別言すると、この樋部（図示しない）の内部空間には、廃棄物回収装置１３０を構成する装置であって、廃棄物を所定位置まで搬送する装置が設けられている。つまり、この樋部（図示しない）の内部空間が、上記した廃棄物搬送経路３４として機能する。
【００７４】
さらに、膳板１１５の長手方向の端部では、膳板１１５の下側に、廃棄物収容箱１３２が設けられている。この廃棄物収容箱１３２には、消火用水が貯留された容器が内蔵されており、容器の内部に集められた廃棄物を貯めておくことが可能となっている。また、廃棄物収容箱１３２の内部空間は、膳板１１５の下側で延びる樋部（図示しない）の内部空間と連続した状態になっている。
【００７５】
つまり、本実施形態の廃棄物回収装置１３０は、膳板１１５の下部に設けた樋部（図示しない）の内部空間において、廃棄物を廃棄物収容箱１３２に近づく方向へ移送することが可能となっている。そして、廃棄物収容箱１３２まで移送された廃棄物は、廃棄物収容箱１３２の内部に収納された容器の内部へ投入されることとなる。
【００７６】
さらに、本実施形態の遊技機島１０１には、膳板１１５の上面に固定灰皿部１３５が設けられている。この固定灰皿部１３５は、底部分が開放された状態となっており、膳板１１５を貫通する貫通孔１３６の内周面に嵌合された状態となっている。すなわち、固定灰皿部１３５の内側部分は、膳板１１５の下側で延びる樋部（図示しない）の内部空間と連通した状態となっている。
【００７７】
従来では、この固定灰皿部１３５を使用して遊技客が喫煙していたが、必ずしも快適に喫煙可能ではなかった。すなわち、固定灰皿部１３５は、膳板１１５の所定の位置に固定されているため、喫煙し易い位置に移動させることができない。したがって、遊技客は、わざわざ無理な体勢をとって固定灰皿部１３５まで手を伸ばし、灰を捨てなければならない場合があった。そして、固定灰皿部１３５は、樋部（図示しない）の上側に設ける必要があるという設計上の制約があるので、必ずしも遊技客が使用しやすい位置に配設できないという問題もあった。
【００７８】
そこで、本実施形態の遊技機島１０１では、固定灰皿部１３５の上側に、灰皿ユニット１４０取り付けた構造としている。
【００７９】
灰皿ユニット１４０は、図９で示されるように、上記した灰皿部２７が、箱状のユニット本体１４１に出入可能な状態で取り付けられて形成されている。すなわち、灰皿部２７がユニット本体１４１から外側へ引き出された使用時姿勢（図３参照）と、灰皿部２７がユニット本体１４１の内側に収納された収納時姿勢（図４参照）とを切替可能となっている。
【００８０】
ユニット本体１４１には、側面部分に灰皿部２７を取り付けるための第１取付用孔１５０が設けられており、底面部分に固定灰皿部１３５と連結させるための第２取付用孔１５１が設けられている。
【００８１】
第１取付用孔１５０は、ユニット本体１４１の側面壁を貫通して内外を連通するものであり、開口形状が略長方形となっている。
より具体的には、ユニット本体１４１の側面壁の厚みは、上記した台間板１４の厚みと略同一であって、灰皿部２７の化粧板部５５の厚みとも略同一となっている。そして、第１取付用孔１５０の開口形状は、上記した台間板１４に形成した取付用孔５０の開口形状と略同一となっている。
【００８２】
第２取付用孔１５１は、ユニット本体１４１の底壁を貫通して内外を連通するものであり、開口形状が略円形となっている。この第２取付用孔１５１は、灰皿ユニット１４０を膳板１１５の上部に取り付けたとき（図８参照）、貫通孔１３６と連通する孔である。
【００８３】
つまり、灰皿部２７の内部に廃棄物が貯留された状態で、使用時姿勢から収納時姿勢へと移行すると、上記した場合と同様に、灰皿部２７に貯留された廃棄物が下方へ落下することとなる。さらに、廃棄物は、ユニット本体１４１の内部を通過した後に第２取付用孔１５１から下方へ排出され、膳板１１５の貫通孔１３６を通過し、膳板１１５の下側で延びる樋部（図示しない）の内部空間に落下することとなる。そして、上記した場合と同様に、廃棄物回収装置１３０によって処理されることとなる。
【００８４】
このような構成によると、灰皿ユニット１４０の側面の向きを変更したり、灰皿部２７を使用時姿勢としたときに水平回動させたりすることで、灰皿部２７を遊技客が使用し易い位置へ移動させることができる。
詳細に説明すると、例えば、灰皿ユニット１４０を垂直軸まわりに回動させて、灰皿部２７を取り付けた側面を遊技者と向かい合うようにすると、灰皿部２７を遊技者に近い位置に配することが可能となる。また、灰皿部２７を使用時姿勢とした状態で、上記した場合と同じく灰皿部２７を水平回動させると（図６参照）、灰皿部２７を遊技客に近接する方向、又は離反する方向へと移動させることができる。すなわち、係る構成によると、灰皿部２７を遊技客が利用しやすい位置へ移動させることができるので、遊技客の快適な喫煙が可能となる。
【００８５】
上記した実施形態では、閉塞板６１を前側壁部６５に枢支した例について示した。すなわち、閉塞板６１を前側壁部６５の一方に形成した凸部（図示せず）を他方に形成した凹部（図示せず）に係合させ、閉塞板６１を回動可能な状態に取り付けた。しかしながら、本発明はこれに限るものではない。
例えば、棒状の軸部材を介して閉塞板６１を前側壁部６５に取り付けてもよく、蝶番部材を介して閉塞板６１を前側壁部６５に取り付けてもよい。閉塞板６１が本体部５６の下側部分を開閉可能な状態で取り付けられていればよい。
【符号の説明】
【００８６】
１，１０１    遊技機島
２    遊技機
１４    台間板（台間壁形成部材）
１５    膳板
２７    灰皿部
３３    落下経路(収納空間)
３４    廃棄物搬送経路
４０，１３０    廃棄物回収装置
５０    取付用孔（突出孔）
６１    閉塞板
【図１】
2015066001.tif 000003
【図２】
2015066001.tif 000004
【図３】
2015066001.tif 000005
【図４】
2015066001.tif 000006
【図５】
2015066001.tif 000007
【図６】
2015066001.tif 000008
【図７】
2015066001.tif 000009
【図８】
2015066001.tif 000010
【図９】
2015066001.tif 000011